(57)【要約】【課題】光ディスクを安定して搬送することができる光ディスク装置を提供する。【解決手段】メインシャーシ１の短辺から立設されたリブ１１と接触するように形成された第１リブ３２１Ｌ（３２１Ｒ）と、メインシャーシ１の長辺から立設されたリブ１１と非接触で対向するように形成された第２リブ３２２Ｌ（３２２Ｒ）を含むフラップホルダ３２Ｌ（３２Ｒ）を備えている光ディスク装置Ａ。【選択図】図４
2010186504.tif 000002
【特許請求の範囲】
【請求項１】
平面視長方形状を有し、辺縁部から立設されたリブを有するメインシャーシと、
光ディスクを前記メインシャーシに備えられた搬送ローラ側に押すフラップと、
前記メインシャーシの正面側の角部に配置され、前記フラップを回動可能に支持するフラップホルダと、
金属板を切り曲げて形成され前記メインシャーシ及び前記フラップホルダの上面を覆い、前記メインシャーシにねじ止めされたカバーシャーシとを備え、光ディスクが単体で搬送される光ディスク装置であって、
前記フラップホルダは少なくとも、本体部と、前記メインシャーシの短辺から立設されたリブと当接するように前記本体部より立設された第１リブと、前記フラップを回動可能に支持する支持部とを備えていることを特徴とする光ディスク装置。
【請求項２】
前記フラップホルダは前記本体部より立設し、前記第１リブと所定の角度をなすように前記本体部より立設された第２リブを備えており、
前記第２リブの立設方向の長さは前記第１リブの立設方向の長さよりも短く形成されている請求項１に記載の光ディスク装置。
【請求項３】
前記第２リブは前記メインシャーシの長辺より立設されたリブと対向するように配置された請求項２に記載の光ディスク装置。
【請求項４】
前記第２リブは背面側に向かって立設方向の長さが短くなるように形成されている請求項２又は請求項３に記載の光ディスク装置。
【請求項５】
前記フラップホルダは前記メインシャーシの正面側の両角部に配置された一対の部材である請求項１から請求項４に記載の光ディスク装置。
【請求項６】
前記カバーシャーシは前記メインシャーシの前側及び後側の端部にねじ止めされる請求項１から請求項５のいずれかに記載の光ディスク装置。
【請求項７】
前記フラップホルダは前記カバーシャーシをねじ止めするねじが貫通するねじ孔が形成されている請求項６に記載の光ディスク装置。
【発明の詳細な説明】
【技術分野】
【０００１】
本発明は、光ディスクに光を照射し情報を記録する又は再生する光ピックアップ装置を備えた光ディスク装置に関するものである。
【背景技術】
【０００２】
ＣＤ（Ｃｏｍｐａｃｔ Ｄｉｓｃ）、ＤＶＤ（Ｄｉｇｉｔａｌ Ｖｅｒｓａｔｉｌｅ Ｄｉｓｃ）、ＢＤ（Ｂｌｕ−Ｒａｙ Ｄｉｓｃ）等の光ディスクを記録媒体として用いる光ディスク装置では、光ピックアップより出射されたレーザ光を光ディスクの記録面に集光させて照射することでデータの記録を行い、及び（又は）前記記録面に照射され反射してきたレーザ光を検出し、情報の再生を行っている。
【０００３】
前記光ディスクをそのまま挿入するスロットインタイプの光ディスク装置がある。スロットインタイプの光ディスク装置は、前側に光ディスクを挿入するための開口部を有している。前記開口部の内側には、回転することで光ディスクを内部に引き込むための搬送ローラを備えている。さらに、前記搬送ローラと対向する部分には、前記開口部より挿入された光ディスクが前記搬送ローラと接触するように導くフラップが備えられている。
【０００４】
前記フラップは前記開口部に近い部分を軸支持された平板状の部材であり、内部側が前記搬送ローラに近づくように付勢されている。前記光ディスクが開口部より挿入されると、前記フラップによって光ディスクが前記搬送ローラと接触するように導かれ、前記光ディスクと前記搬送ローラが接触しつつ搬送ローラが回転することで光ディスクが内部に搬送される。
【０００５】
光ディスク装置の筐体は樹脂で形成された平面視長方形状のメインシャーシと、前記フラップを回動可能に支持するフラップホルダと、前記メインシャーシの上部に配置されたカバーシャーシとを備えている。前記カバーシャーシは前記メインシャーシの辺縁部に形成されたリブに配置され、前側及び後側がねじ止めにて固定される（特開平０７−１６１１８１号公報等参照）。
【０００６】
前記フラップホルダは前記メインシャーシの前側の角部の両方に配置されている。また、前記フラップホルダも前記カバーシャーシと同様、前記メインシャーシのリブ上に配置される。前記フラップホルダは前記メインシャーシと前記カバーシャーシとの間に配置され、前記カバーシャーシを固定するねじで共締めされている。
【先行技術文献】
【特許文献】
【０００７】
【特許文献１】特開平０７−１６１１８１号公報
【発明の概要】
【発明が解決しようとする課題】
【０００８】
前記メインシャーシは樹脂の一体成型品であるので、前記メインシャーシの大きさ或いは成型精度によっては前記リブの上面が精度良く平面状に形成されない場合がある。特に、前記メインシャーシの長手方向に伸びるリブの凸部が形成されている部分に前記フラップホルダが配置されてしまうと、前記フラップホルダが傾いてとりついてしまう。
【０００９】
前記フラップホルダが傾いて取り付けられていると、その上部に配置されるカバーシャーシの長手方向中央部がたわんでとりついてしまう。これにより、前記カバーシャーシに配置されたディスクストッパの摺動が不安定となり、光ディスクの搬送動作が不安定となることがある。
【００１０】
前記カバーシャーシのたわみを解消するために、前記メインシャーシの前記リブに切削等の加工を施して平面精度を上げる方法が考えられるが、工数が多く必要となり、それだけ、製造の手間と時間が多く必要となる。また、中間部分をねじ止めすることで、前記カバーシャーシを押えつけ、たわみを解消することも可能であるが、ねじの個数が増えねじ止め作業の工数が多く必要となる。また、ねじ止めのためにリブの形状を変更しなくてはならず、前記メインシャーシを製造するための手間と時間が多く必要となる。
【００１１】
本発明は、光ディスクを安定して搬送することができる光ディスク装置を提供することを目的とする。
【課題を解決するための手段】
【００１２】
上記目的を達成するために本発明は、平面視長方形状を有し、辺縁部から立設されたリブを有するメインシャーシと、光ディスクを前記メインシャーシに備えられた搬送ローラ側に押すフラップと、前記メインシャーシの正面側の角部に配置され、前記フラップを回動可能に支持するフラップホルダと、金属板を切り曲げて形成され前記メインシャーシ及び前記フラップホルダの上面を覆い、前記メインシャーシにねじ止めされたカバーシャーシとを備え、光ディスクが単体で搬送される光ディスク装置であって、前記フラップホルダは少なくとも、本体部と、前記メインシャーシの短辺から立設されたリブと当接するように前記本体部より立設された第１リブと、前記フラップを回動可能に支持する支持部とを備えている。
【００１３】
この構成によると、前記フラップホルダの前記第１リブが前記メインシャーシの短辺から立設された前記リブと接触し、長辺から立設されたリブと非接触となっている。メインシャーシの長辺より突出するリブに盛り上がりや、凸部が形成されていても、前記フラップホルダは前記メインシャーシの長辺より突出するリブと接触しにくく形成されている。
【００１４】
このことにより、前記フラップホルダの本体部が搬入され光ディスクと平行となるように配置される。前記フラップホルダの本体部の上部に配置されるカバーシャーシの長手方向の中央部が盛り上がってしまうのを抑制することができる。前記カバーシャーシが盛り上がるの抑制することで、前記カバーシャーシに配置された可動部材が正確に動作することが可能であり、光ディスクの搬送を安定して行うことが可能である。
【００１５】
上記構成において、前記フラップホルダは前記本体部より立設し、前記第１リブと所定の角度をなすように前記本体部より立設された第２リブを備えており、前記第２リブの立設方向の長さは前記第１リブの立設方向の長さよりも短く形成されている。
【００１６】
この構成によると、前記本体部に前記第２リブが備えられることで、前記本体部を補強することができ、それだけ、前記本体部が変形するのを抑制することが可能である。前記本体部の変形を抑制することで、前記本体部の上部に配置された前記カバーシャーシの変形を抑制することができ、前記光ディスクの搬送を安定して行うことが可能である。
【００１７】
上記構成において、前記第２リブは前記メインシャーシの長辺より立設されたリブと対向するように配置されたものであってもよい。
【００１８】
この構成によると、前記第２リブの位置を最も効果的な本体部の辺縁部に配置することが可能である。
【００１９】
上記構成において、前記第２リブは背面側に向かって立設方向の長さが短くなるように形成されているものであってもよい。
【００２０】
上記構成において、前記フラップホルダは前記メインシャーシの正面側の両角部に配置された一対の部材であってもよい。
【００２１】
上記構成において、前記カバーシャーシは前記メインシャーシの前側及び後側の端部にねじ止めされるものであってもよい。
【００２２】
上記構成において、前記フラップホルダは前記カバーシャーシをねじ止めするねじが貫通するねじ孔が形成されていてもよい。
【発明の効果】
【００２３】
本発明によると、光ディスクを正確に搬送し、安定して動作することができる光ディスク装置を提供することができる。
【図面の簡単な説明】
【００２４】
【図１】光ディスクを用いて情報の記録／再生を行う光ディスク装置の一例であるＢＤ（ブルーレイ）レコーダの斜視図である。
【図２】本発明にかかる光ディスク装置の概略平面図である。
【図３】図２に示す光ディスク装置のカバーシャーシを外した状態の概略平面図である。
【図４】図２に示す光ディスク装置の断面図である。
【図５】本発明にかかる光ディスク装置に用いられる左フラップホルダの概略側面図である。
【図６】図５に示す左フラップホルダの概略底面図である。
【図７】本発明にかかる光ディスク装置に用いられる右フラップホルダの概略側面図である。
【図８】図７に示す右フラップホルダの概略底面図である。
【発明を実施するための形態】
【００２５】
以下に本発明の実施形態を図面を参照して説明する。図１は光ディスクを用いて情報の記録／再生を行う光ディスク装置の一例であるＢＤ（ブルーレイ）レコーダの斜視図である。図１に示すように、ＢＤレコーダＲｄは、筐体Ｏｈの内部に光ディスク装置Ａが配置されており、筐体Ｏｈの正面に配置されたフロントパネルＦｐに形成された開口Ｏｐより光ディスクＤｓを直接光ディスク装置Ａの内部に挿入するものである。
【００２６】
図２は本発明にかかる光ディスク装置の概略平面図であり、図３は図２に示す光ディスク装置のカバーシャーシを外した状態の概略平面図であり、図４は図２に示す光ディスク装置の断面図である。
【００２７】
光ディスク装置Ａは、光ディスクに光（レーザ光）を照射することで情報を記録及び（又は）再生するものである。光ディスク装置Ａは、光ディスクＤｓを単体で搬送する、いわゆる、スロットインタイプの光ディスク装置である。なお、以下の説明において、図２に示すように、光ディスクＤｓの移動方向に合わせて、光ディスクＤｓが挿入される方向を後方向（後側）Ｒ方向（Ｒ側）、光ディスクＤｓが排出される方向を前方向（前側）Ｆ方向（Ｆ側）とする。
【００２８】
光ディスク装置Ａは箱体であるメインシャーシ１と、メインシャーシ１に昇降可能に取り付けられた昇降シャーシ２と、メインシャーシ１の前側に配置され、光ディスクＤｓをメインシャーシ１側に押すフラップ部３と、メインシャーシ１及びフラップ部３の上部に取り付けられたカバーシャーシ４とを備えている。
【００２９】
メインシャーシ１は平面視矩形状の函体であり、樹脂の一体成形にて形成されている。メインシャーシ１は辺縁部に形成されたリブ１１と、メインシャーシ１のＦ側の両角部とＲ側の両角部にはリブ１１と一体形成されたねじ止め用のねじ止めリブ１２と、前側Ｆに形成され光ディスクＤｓを入出させる開口部１３と、光ディスクＤｓと接触し光ディスクＤｓを搬送する搬送ローラ１４とを備えている。
【００３０】
また、ねじ止めリブ１２にはカバーシャーシ４をねじ止めするねじＢｔが螺合される雌ねじ穴１５が形成されている。光ディスク装置Ａにおいて、ねじ止めリブ１２はＦ側に２個、Ｒ側に２個形成されているが、それに限定されるものではなく、カバーシャーシ４を確実に固定することができる個数及び場所のものを広く採用することができる。なお、少なくとも、Ｆ側に２個、Ｒ側に１個以上備えられていることが好ましい。
【００３１】
また、メインシャーシ１には光ディスクＤｓの移動方向と直交する方向に移動するスライダ１６が備えられている。また、スライダ１６にはカム溝が形成されており、そのカム溝には昇降シャーシ２の長手方向Ｆ側の端部より突出したボスが摺動可能に挿入されている。スライダ１６の移動によって、ボスがカム溝に押され、昇降シャーシ２は昇降する。
【００３２】
昇降シャーシ２は平面視長方形状の部材であり、長手方向一方の端部（Ｒ側の端部）に取り付け孔２１が形成されている。メインシャーシ１に形成されているボス１０が取り付け孔２１を貫通している。ボス１０と取り付け孔２１との間には、フローティングゴム（ダンパー）１００が配置されている。
【００３３】
ボス１０と取り付け孔２１との隙間が形成されていることで、昇降シャーシ２は取り付け孔２１を中心に回動され、昇降シャーシ２の長手方向他方の端部は光ディスクに対して昇降される。昇降シャーシ２にはディスク駆動部５が配置されている。ディスク駆動部５は駆動力が出力されるモータ５１と、モータ５１の出力軸に固定されたターンテーブル５２とを備えている。
【００３４】
光ディスクＤｓがメインシャーシ１の所定の位置に搬送されたときに、昇降シャーシ２が光ディスクＤｓに対して上昇する。昇降シャーシ２が上昇し、光ディスクＤｓが持ち上げられる。ターンテーブル５２の中央に形成されている凸部が光ディスクＤｓの中央に形成されている貫通孔を貫通し、ターンテーブル５２は光ディスクＤｓの中心を持ち上げている。
【００３５】
昇降シャーシ２には、矩形状の配置孔２０が形成されており、配置孔２０に光ディスクＤｓに情報の再生／記録のための光を照射させる光ピックアップ６が配置されている。光ピックアップ６はディスク駆動部５に対して接近／離反するように直線的に移動する。
【００３６】
フラップ部３は、光ディスクＤｓを押し、搬送ローラ１４に接触させるフラップ３１と、フラップ３１を回転可能に支持するフラップホルダ３２とを備えている。フラップ３１は、矩形の板状の部材であり、長辺の一方に回転軸３１１が形成されており、回転軸３１１がフラップホルダ３２に支持されている。さらに、フラップ３１はＲ側に向かってメインシャーシ１に接近するよう付勢されている。フラップホルダ３２は、メインシャーシ１のリブ１１のＦ側の角部の両方に配置されるものであり、光ディスク装置ＡのＦ側から見て右側フラップホルダ３２Ｒと、左側フラップホルダ３２Ｌとを有している。フラップホルダ３２の形状の詳細については後述する。
【００３７】
カバーシャーシ４は金属板を折り曲げて形成された部材であり、メインシャーシ１の上部に配置され、ねじ止めされる。カバーシャーシ４には、光ディスクＤｓが挿入されたとき光ディスクＤｓの後側Ｒの先端部で押されるディスクストッパ４１と、ディスクストッパ４１と連結されたディスクアーム４２とを備えている。また、ねじ止め時にねじが貫通される貫通孔４０が形成されている。貫通孔４０はカバーシャーシ４をメインシャーシ１の上部に配置したとき、メインシャーシ１の雌ねじ穴１５と重なる位置に形成されている。さらに、カバーシャーシ４には、ディスクストッパ４１が摺動するときのガイドとなるガイド孔４３が形成されている。
【００３８】
一方で、メインシャーシ１には、ディスクアーム４２の動作にあわせてＲ側／Ｆ側に摺動するプッシュロッド１７と、プッシュロッド１７に押されるディスクスライダ１８とを備えている。また、プッシュロッド１７にはＦ側の先端にディスク判別ボス１９が設けられている。
【００３９】
ディスクストッパ４１は光ディスクＤｓに押されることで、ガイド孔４３に沿ってＲ側に摺動する。このとき、ディスクストッパ４１と連結されたディスクアーム４２が回動する。ディスクアーム４２の回動によって、ディスクアーム４２と係合している、プッシュロッド１７がＦ側に押される。さらに、プッシュロッド１７に押されるディスクスライダ１８がＦ側に押される。このディスクスライダ１８の移動によってスライダ１６が駆動開始し、スライダ１６の駆動によって昇降シャーシ２が昇降する。
【００４０】
なお、プッシュロッド１７は、Ｆ側の先端に設けられたディスク判別ボス１９が光ディスクＤｓの外周部に押されているとき、回動する。このとき、プッシュロッド１７はディスクアーム４２と係合されておらず、ディスクストッパ４１が光ディスクＤｓに押されても、プッシュロッド１７は移動しない。そして、光ディスクＤｓが所定の位置を越えると、プッシュロッド１７は元の位置にもどり、ディスクアーム４２と係合され、ディスクアーム４２の動きと連動して、Ｆ側に移動する。
【００４１】
また、カバーシャーシ４には、回動可能に支持されたクランパ４４が備えられている。クランパ４４は、昇降シャーシ２の上昇によってターンテーブル５２に持ち上げられた光ディスクＤｓをターンテーブル５２との間で光ディスクＤｓを挟持する。光ディスクＤｓはターンテーブル５２とクランパ４４とで挟まれて、他の部材と接触しないように支持されている。この状態でモータ５１を駆動し、光ピックアップ６より光を照射して、光ディスクＤｓに情報を記録したり、光ディスクＤｓに記録されている情報を再生したりすることができる。
【００４２】
そして、図４に示しているように、カバーシャーシ４はフラップホルダ３２（図４では左フラップホルダ３２Ｌ）の上に配置されているとともにねじＢｔで固定されている。カバーシャーシ４には左フラップホルダ３２Ｌの上部と接触する部分以外の部分の辺縁部が折り曲げられた折り曲げ部４５が形成されており、メインシャーシ１のリブ１４と当接する脚部として用いられる。なお、図４では左フラップホルダ３２Ｌのみを示しているが、右フラップホルダ３２Ｒについても同様にメインシャーシ１のリブ１４の上に配置され、その上にカバーシャーシ４が配置されてねじＢｔで固定されている。
【００４３】
本発明の要部であるフラップホルダの詳細について図面を参照して説明する。図５は本発明にかかる光ディスク装置に用いられる左フラップホルダの概略側面図であり、図６は図５に示す左フラップホルダの概略底面図であり、図７は本発明にかかる光ディスク装置に用いられる右フラップホルダの概略側面図であり、図８は図７に示す右フラップホルダの概略底面図である。
【００４４】
図５に示すように、左フラップホルダ３２Ｌは、平板部３２０Ｌと、平板部３２０Ｌの辺縁部から立設され、メインシャーシ１のリブ１１のＦ側と当接する第１リブ３２１Ｌと、リブ１１の左側と対向する第２リブ３２２Ｌと、フラップの回転軸３１１を支持する支持部３２３Ｌとを備えている。また、第１リブ３２１Ｌと第２リブ３２２Ｌとの交差する部分には、カバーシャーシ４を止めるためのねじが貫通するねじ孔３２４Ｌが形成されている。
【００４５】
図６に示すように、第１リブ３２１Ｌの立設方向の長さが第２リブ３２２Ｌの立設方向の長さよりも長く形成されている。これにより、左フラップホルダ３２Ｌをメインシャーシ１に配置したときに、第１リブ３２１Ｌはリブ１１と接触し、第２リブ３２２Ｌはリブ１１とは接触しない。
【００４６】
また、平板部３２０Ｌは、第１リブ３２１Ｌ及び第２リブ３２２Ｌが直交するように立設されているので補強されて変形しにくくなっている。
【００４７】
図７に示すように、右フラップホルダ３２Ｒは、平板部３２０Ｒと、平板部３２０Ｒの辺縁部から立設され、メインシャーシ１のリブ１１のＦ側と当接する第１リブ３２１Ｒと、リブ１１の右側と対向する第２リブ３２２Ｒと、フラップ３１の回転軸３１１を支持する支持部３２３Ｒとを備えている。また、第１リブ３２１Ｒと第２リブ３２２Ｒとが交差する部分には、カバーシャーシ４を止めるためのねじが貫通するねじ孔３２４Ｒが形成されている。
【００４８】
図８に示すように、第１リブ３２１Ｒの立設方向の長さが第２リブ３２２Ｒの立設方向の長さよりも長く形成されている。これにより、右フラップホルダ３２Ｒをメインシャーシ１に配置したときに、第１リブ３２１Ｒはリブ１１と接触し、第２リブ３２２Ｒはリブ１１とは接触しない。
【００４９】
また、平板部３２０Ｒは、第１リブ３２１Ｒ及び第２リブ３２２Ｒが直交するように立設されているので補強されて変形しにくくなっている。
【００５０】
図４に示しているように、カバーシャーシ４は平板部３２０Ｌと密接した状態で、メインシャーシ１の上に固定される。このとき、カバーシャーシ４の貫通孔４０と左フラップホルダ３２Ｌのねじ孔３２４ＬとをねじＢｔで共締めすることで、カバーシャーシ４及びフラップホルダ３２Ｌを固定することができる。
【００５１】
メインシャーシ１は樹脂の一体成型品であるので、リブ１４（主にＦＲ方向の中間部）に凹凸ができたり、リブ１４の長手方向に伸びる部分が中央部でふくらんでしまったりする場合がある。このように変形したリブ１４の上に配置した場合であっても、リブ１４と第２凸部３２２Ｌとが接触しないように形成されているので、左フラップホルダ３２Ｌの平板部３２０Ｌはメインシャーシ１の本体部と平行になるように配置される。
【００５２】
また、同様に右フラップホルダ３２Ｒに置いても同様に、平板部３２０Ｒがメインシャーシ１の本体部と平行となり、平板部３２０Ｌ及び平板部３２０Ｒと密接して配置されるカバーシャーシ４もメインシャーシ１の本体部に対して、平行となる。そして、カバーシャーシ４のガイド孔４３が曲がるのを抑制することができ、ディスクストッパ４１の動きが不安定になるのを抑制することができ、光ディスク装置Ａが動作不良を起こすのを抑制することができる。
【００５３】
上記実施形態の説明は、本発明を説明するためのものであって、特許請求の範囲に記載の発明を限定し、或は範囲を減縮する様に解すべきではない。本発明の各部構成は上記実施形態に限らず、特許請求の範囲に記載の技術的範囲内で種々の変形が可能であることは勿論である。
【産業上の利用可能性】
【００５４】
本発明は、光ディスクをそのまま内部に搬送するスロットインタイプの光ディスク装置に利用することができる。
【符号の説明】
【００５５】
１  メインシャーシ
１０  ボス
１００  フローティングゴム
１１  リブ
１２  ねじ止めリブ
１３  開口部
１４  搬送ローラ
１５  雌ねじ穴
１６  スライダ
１７  プッシュロッド
１８  ディスクスライダ
１９  ディスク判別ボス
２  昇降シャーシ
２１  取り付け孔
３  フラップ部
３１  フラップ
３１１  回転軸
３２Ｌ  左フラップホルダ
３２０Ｌ  平板部
３２１Ｌ  第１リブ
３２２Ｌ  第２リブ
３２３Ｌ  支持部
３２４Ｌ  ねじ孔
３２Ｒ  右フラップホルダ
３２０Ｒ  平板部
３２１Ｒ  第１リブ
３２２Ｒ  第２リブ
３２３Ｒ  支持部
３２４Ｒ  ねじ孔
４  カバーシャーシ
４１  ディスクストッパ
４２  ディスクアーム
４３  ガイド孔
４４  クランパ
４５  折り曲げ部
５  ディスク駆動部
５１  モータ
５２  ターンテーブル
６  ピックアップ
【図１】
2010186504.tif 000003
【図２】
2010186504.tif 000004
【図３】
2010186504.tif 000005
【図４】
2010186504.tif 000006
【図５】
2010186504.tif 000007
【図６】
2010186504.tif 000008
【図７】
2010186504.tif 000009
【図８】
2010186504.tif 000010